(57)【特許請求の範囲】
【請求項１】
魚形状の本体の、下顎に当たる先端付近に、本体の軸方向に対して前部が下がった略扁平なフロントリップが設けられたルアーにおいて、
前記本体の背中上であって、前端がフロントリップより後方の何れかの位置に、少なくとも後端が前記背中に当接した略扁平なバックリップが設けられ、
当該バックリップは本体の軸方向に対して後部が下がっていることを特徴とする、ルアー。
【請求項２】
前記バックリップと本体の背中との間に、本体の背中に略垂直に立設された側面略三角形状の板体が設けられていることを特徴とする、前記請求項１に記載のルアー。
【請求項３】
前記バックリップが、前記本体の背中上であって、当該本体の中部から尾部まで設けられていることを特徴とする、前記請求項２に記載のルアー。
【発明の詳細な説明】
【技術分野】
【０００１】
この発明は、ルアーフィッシングに使用するルアー、特に、フロントリップと呼ばれる舌状の板体を魚の下顎に当たる部分に設けたルアーに関するものである。
【背景技術】
【０００２】
従来、ルアー（疑似餌）を用いたルアーフィッシングが行われている。このルアーフィッシングは、ルアーロッドにリールをセットして、ルアーにライン（糸）を結んで投げる（キャスト）。その後、リールでラインを巻き取る（リトリーブ）とルアーは水流を受けて様々に動く、この時、ルアーは小魚の様に動いたり、輝いたりする。これを見た肉食魚はエサであると勘違いして食い付き、ルアーに設けたフックに引っ掛かり、釣り上げられる。
【０００３】
この様なルアーとして、例えば、特許文献１に記載されたものが有る。このルアーは魚の下顎に当たる先端付近にフロントリップと呼ばれる舌状のプラスチック板を設けており、リトリーブの際水流の抵抗により前傾姿勢になる。
【０００４】
また、リトリーブの際、ルアーのボディを左右に揺さぶるウォブリングや、ボディの中心線を軸に左右にねじるローリングを行えば、ルアーがより小魚等に見えて効果的になる。
【特許文献１】特開２００５−１８５２５７号公報
【発明の開示】
【発明が解決しようとする課題】
【０００５】
しかしながら、前記ルアーでは、水流の抵抗を大きく受けるのが、先端付近に設けたフロントリップのみで有り、また、ルアーの遊泳バランスもそれほど安定したものとはなっていない。これらの結果、ルアーの動きが単調な又は弱いものとなり、肉食魚が興味を抱き難く、接触数も増加せず、釣果もあまり期待出来ない。
【０００６】
この発明は、この様な状況に鑑みて行われたもので、水流に機敏に反応し、ルアーアクションが行い易い、より多様性の有る動きが出来るルアーを提供して前記課題を解決するものである。
【課題を解決するための手段】
【０００７】
請求項１の発明は、魚形状の本体の、下顎に当たる先端付近に、本体の軸方向に対して前部が下がった略扁平なフロントリップが設けられたルアーにおいて、前記本体の背中上であって、前端がフロントリップより後方の何れかの位置に、少なくとも後端が前記背中に当接した略扁平なバックリップが設けられ、当該バックリップは本体の軸方向に対して後部が下がっているルアーとした。
【０００８】
請求項２の発明は、前記バックリップと本体の背中との間に、本体の背中に略垂直に立設された側面略三角形状の板体が設けられている前記請求項１に記載のルアーとした。
【０００９】
請求項３の発明は、前記バックリップが、前記本体の背中上であって、当該本体の中部から尾部まで設けられている前記請求項２に記載のルアーとした。
【発明の効果】
【００１１】
請求項１、２及び３の各発明によれば、本体の前部にフロントリップと、前記フロントリップより後方にバックリップを夫々設けたことにより、これらのフロントリップとバックリップで、大きく２つの水流の抵抗を受けることによって、フロントリップのみの場合と比べて、ルアー本体の後部を持ち上げる力が強く働き、速やかに前傾姿勢に移行出来ることで、ルアー本体のより多様な動きを生み出すことが出来る。これにより、水流に機敏に反応し、機敏なルアーアクションが出来るルアーを提供することが出来る。
【００１２】
また、本体にバックリップを設けたことにより、キャストした後、水中で一時的にルアーが立ち上がった状態となるが、この時バックリップに水流が当たり、本体後部を持ち上げ、ルアー本体を素早く前傾姿勢に移行出来、速やかにルアーアクションを始めることが出来る。さらに、場所の異なる前記２つの水流抵抗を利用することにより、ルアー本体の遊泳バランスを向上させることが出来る。
【００１３】
また、本体にフロントリップとバックリップとが有ることにより、フロントリップの大きさを従来のものより小さく出来るため、全体のバランスが良くなり、キャストする際の飛行姿勢が安定する。しかも、ルアー本体を重くしても良く泳ぐことが出来、また、遠くへ飛ばすことが出来る。また、フロントリップとバックリップの夫々の本体の軸方向に対する傾き度合いや大きさによって水中でのルアーの動きを様々に変化させることが出来る。
【００１４】
また、請求項２及び３の各発明によれば、バックリップを、前記バックリップと本体の背中との間に、本体の背中に略垂直に立設された側面略三角形状の板体を設けてルアー本体より浮かせた位置に設けているためロッドでラインを操作した際、左右方向の水流にも敏感に反応することが出来、ルアーが左右方向に振れて動く等、前記効果に加えて、より多様な動きが出来るルアーを提供することが出来る。
【発明を実施するための最良の形態】
【００１５】
魚形状の本体の、下顎に当たる先端付近に、本体の軸方向に対して前部が下がった略扁平なフロントリップが設けられたルアーにおいて、前記本体に、本体の軸方向に対して後部が下がった略扁平なバックリップが設けられている。
【００１６】
これにより、フロントリップとバックリップで、大きく２つの水流の抵抗を受けることによって、フロントリップのみの場合と比べて、ルアー本体の後部を持ち上げる力が強く働き、速やかに前傾姿勢に移行出来ることで、ルアー本体のより多様な動きを生み出すことが出来る。
【実施例１】
【００１７】
以下、この発明の実施例１のルアーを図に基づいて説明する。図１は、この発明の実施例１のルアーをリトリーブしている際の２つの水流の抵抗を示す説明図である。図２は、同ルアーの側面図である。図３は、同ルアーの斜視図である。図４は、同ルアーの平面図である。図５は、図４における鎖線部分の略縦断面図である。図６は、同ルアーをキャストの後、引き始めの状態でバックリップに水流が当たっている状態を示す説明図である。
【００１８】
この発明の実施例１のルアーＡは、図２、図３及び図４に示す様に、流線型の魚形状の本体４の、下顎に当たる先端付近に、従来から有る透明なプラスチックから成る舌形状のフロントリップ１を設け、前記本体４の背中のおよそ中部から尾部にかけて、図５に示す様に、Ｔ字型に立設したかたちで、側面横長三角形状の板体２の長斜辺縁の上に平面流線型の略扁平な板体から成るバックリップ３を設ける。これにより、フロントリップ１は本体４の軸方向に対して前部が下がり、後部が上がっているが、バックリップ３は前部が上がり、後部が下がっている。また、ルアー本体４の腹部及び尾部端部に肉食魚を引っ掛けるトリプルフック５を夫々設けており、本体４の先端にはライン７を結び付けるラインアイ６を設けている。
【００１９】
この様に、本体４の背中にバックリップ３を設けたことにより、フロントリップ１及びバックリップ３に当たる２つの水流抵抗によって本体４を動かす相乗作用効果を生み出し、これら２つの力が相まって、図１に示す様に、フロントリップ１に当たる水流（図１における黒矢印Ｄ）抵抗により前傾姿勢を維持しつつ、バックリップ３に当たる水流（図１における黒矢印Ｅ）抵抗により本体４の後部を上げる力が働き、より前傾姿勢を安定して維持しつつ、ルアーＡに多様な動きを与えることが出来る。
【００２０】
例えば、動きが鈍い本体重量が重い大きなルアーであっても、バックリップとフロントリップの２つのリップが水流抵抗を受けることで効率的にルアーを動かし、豊富な水中揺動を生み出して魚を誘う。
【００２１】
また、高速遊泳時に、ルアー本体４が生み出す水流をバックリップ３が整えることで、ルアーＡのふらつきや回転などのバランスの乱れを抑制し、安定した遊泳能力を発揮して急流の中でも魚を誘うことが出来る。また、ルアーロッドを動かしてルアーＡに不規則な動きを与える際、フロントリップ１及びバックリップ３の２つのリップが異なる場所で夫々水流抵抗を受けることで、移動距離が少ない狭い範囲で多彩な動きの変化を出すことが出来、魚を誘うことが出来る。
【００２２】
さらに、キャストした場合、図６に示す様に、当該ルアーＡが水中で一時的に立ち上がった状態となるが（特に、後方重心設計のルアーの場合）、この時背中のバックリップ３に水流（図６における黒矢印Ｆ）が当たり、本体４の後部を持ち上げ、ルアーＡ本体を速やかに前傾姿勢に移行することが出来る。
【００２３】
また、前記バックリップ３を支持した板体２によって、左右方向の水流にも、敏感に反応出来、左右に揺れる等のより多様性の有る動きを生み出すことが出来、前傾姿勢に移行した後は、ライン７をただ巻き取るだけで、従来のフロントリップだけの場合よりも、絶妙なルアーアクションを引き起こすことが出来、より多様性のある動きを生み出すことが出来る。また、これと同時に前記３つの水流抵抗により、よりルアー本体４の遊泳バランスを向上させることが出来る。
【００２４】
図７は、この発明の実施例２のルアーの側面図である。図８は、この発明の実施例３のルアーの側面図である。図９は、この発明の実施例４のルアーの側面図である。図１０は、この発明の実施例５のルアーの側面図である。
【実施例２】
【００２５】
また、この実施例１の他の例である実施例２として、図７に示す様に、バックリップ８を上反り形状とすることが出来る。他の構成は、板体２の形状が若干異なるが、前記実施例１と基本的に同様である。
【実施例３】
【００２６】
また、同実施例３として、図８に示す様に、バックリップ９を下反り形状とすることが出来る。他の構成は、板体２の形状が若干異なるが、前記実施例１と基本的に同様である。
【実施例４】
【００２７】
さらに、同実施例４として、図９に示す様に、バックリップ１０を本体の背中の中部から尾部では無く、背中の一部に設けることが出来る。他の構成は、板体２の形状及び大きさが若干異なるが、前記実施例１と基本的に同様である。
参考例１
【実施例５】
【００２８】
また、参考例１として、図１０に示す様に、バックリップ１１を支持する、前記実施例１、２及び３の立設した側面横長三角形状の板体２に代えて横長四角形状の板体１２を使用することが出来、この場合バックリップ１１はルアー本体４に接していない。他の構成は、前記実施例１と基本的に同様である。
【００２９】
これらの実施例２、３、４及び参考例１においても、前記実施例１とおよそ同様の効果を奏することが出来た。
参考例２
【実施例６】
【００３０】
さらに、本願発明の参考例２のルアーＢを図に基づいて説明する。図１１は、この発明の参考例２の側面図である。図１２は、この発明の参考例２の他の例の側面図である。
【００３１】
この参考例２では、前記実施例１と異なる構成のみ説明する。この参考例２と前記実施例１とでは、バックリップの形状及び設ける位置が異なる。つまり、この参考例２のバックリップは、図１１に示す様に、前記本体１４の後部両側面に平面半楕円型の扁平な板体から成るバックリップ１３を、その後端を本体１４の軸方向に対して下げて夫々設けている。この様にバックリップ１３を設けることにより、前記実施例１とほぼ同様の効果を奏することが出来る。また、図１２に示す様に、バックリップ１５をもっと大きく斜行させることも出来る。これにより、本体１４はよりダイナミックな動きをすることが出来る。さらに、求められる動きによって前記バックリップ１３、１５を上方又は下方に反って設けることも出来る。
【実施例７】
【００３２】
続いて、本願発明の実施例７のルアーＣを図に基づいて説明する。図１３は、この発明の実施例７の側面図である。
【００３３】
この実施例７でも前記実施例１と異なる構成のみ説明する。この実施例７においてもバックリップの形状及び設ける位置が異なる。つまり、この実施例７のバックリップは、図１３に示す様に、前記本体１６の背中のやや後部に平面半楕円型の扁平な板体から成るバックリップ１７を、その後端を背中に着け、前端を本体１６の軸方向に対して上げて設けている。この様にバックリップ１７を設けることにより、前記実施例１とは、垂直に立設した板体２を設けていない分作用効果としては劣るが、実施例１に近い効果を奏することが出来る。さらに、求められる動きによって前記バックリップ１７を上方又は下方に反って設けることも出来る。
【００３４】
前記実施例では、いわゆるミノータイプのルアーを使用して説明しているが、フロントリップ１を設けているルアーであって、本願発明のバックリップが設けられるものであれば、ミノータイプに限らず、他のタイプのルアーに採用してももちろん良い。また、本体４の先端にライン７を結び付けるラインアイ６を設けているが、ラインアイの位置は本体４の先端に限らず、フロントリップ上や本体４の頭部に設けたものでももちろん良い。
【００３５】
また、前記実施例１では、前記本体４の背中のおよそ中部から尾部にかけて、Ｔ字型に立設したかたちで、板体２にバックリップ３を設けているが、これらは、Ｔ字型に限るものでは無く、望むルアーの動きによって、図１４及び図１５に示す様に、上部両端がやや下がった型又はＹ字型などでも良く、さらには、図１６、図１７及び図１８に示す様に、十字型に設けても良い。
【００３６】
さらに、前記実施例１、２及び３では、本体４の背中のおよそ中部から尾部にかけてバックリップ３、８、９を設けている。また、前記実施例７では、本体１６の背中のやや後部にバックリップ１７を設けている。しかしながら、バックリップ３、８、９、１７の位置は前記の位置に限らず、求められる動きによって、他の位置、例えば前側や中部などに設けてももちろん良い。また、本体４、１４の腹部と尾部にトリプルフック５を夫々設けているが、フックの数や設ける場所及びタイプはこれらに限るものではない。
【図面の簡単な説明】
【００３７】
【図１】この発明の実施例１のルアーをリトリーブしている際の２つの水流の抵抗を示す説明図である。
【図２】この発明の実施例１のルアーの側面図である。
【図３】この発明の実施例１のルアーの斜視図である。
【図４】この発明の実施例１のルアーの平面図である。
【図５】図４における鎖線部分の略縦断面図である。
【図６】この発明の実施例１のルアーをキャストの後、引き始めの状態でバックリップに水流が当たっている状態を示す説明図である。
【図７】この発明の実施例２のルアーの側面図である。
【図８】この発明の実施例３のルアーの側面図である。
【図９】この発明の実施例４のルアーの側面図である。
【図１０】この発明の参考例１のルアーの側面図である。
【図１１】この発明の参考例２のルアーの側面図である。
【図１２】この発明の参考例２のルアーの他の例の側面図である。
【図１３】この発明の実施例７のルアーの側面図である。
【図１４】この発明の実施例１のルアーの本体の背中の中部から尾部にかけて立設した板体及びバックリップにおいて当該バックリップを上部両端がやや下がった型に設けた状態を示す略縦断面図である。
【図１５】この発明の実施例１のルアーの本体の背中の中部から尾部にかけて立設した板体及びバックリップにおいて当該バックリップをＹ字型に設けた状態を示す略縦断面図である。
【図１６】この発明の実施例１のルアーの本体の背中の中部から尾部にかけて立設した板体及びバックリップにおいて当該板体及びバックリップを十字型に設けた状態を示す略縦断面図である。
【図１７】この発明の実施例１のルアーの本体の背中の中部から尾部にかけて立設した板体及びバックリップにおいて当該板体及びバックリップを上部両端がやや下がった十字型に設けた状態を示す略縦断面図である。
【図１８】この発明の実施例１のルアーの本体の背中の中部から尾部にかけて立設した板体及びバックリップにおいて当該板体及びバックリップを上部両端がやや上がった十字型に設けた状態を示す略縦断面図である。
【符号の説明】
【００３８】
Ａ    ルアー                    Ｂ    ルアー
Ｃ    ルアー                    Ｄ    水流
Ｅ    水流                      Ｆ    水流
１    フロントリップ            ２    板体
３    バックリップ              ４    本体
５    トリプルフック            ６    ラインアイ
７    ライン                    ８    バックリップ
９    バックリップ            １０    バックリップ
１１    バックリップ            １２    板体
１３    バックリップ            １４    本体
１５    バックリップ            １６    本体
１７    バックリップ
【図１】
0005693252.tif 000002
【図２】
0005693252.tif 000003
【図３】
0005693252.tif 000004
【図４】
0005693252.tif 000005
【図５】
0005693252.tif 000006
【図６】
0005693252.tif 000007
【図７】
0005693252.tif 000008
【図８】
0005693252.tif 000009
【図９】
0005693252.tif 000010
【図１０】
0005693252.tif 000011
【図１１】
0005693252.tif 000012
【図１２】
0005693252.tif 000013
【図１３】
0005693252.tif 000014
【図１４】
0005693252.tif 000015
【図１５】
0005693252.tif 000016
【図１６】
0005693252.tif 000017
【図１７】
0005693252.tif 000018
【図１８】
0005693252.tif 000019